(57)【特許請求の範囲】
【請求項１】
第１のプリント回路基板（ＰＣＢ）を第２のＰＣＢに電気的に接続するように構成された基板対基板コネクタアセンブリであって、
レセプタクルヘッダ及び少なくとも１つのレセプタクル接触端子を有するレセプタクルコネクタであって、前記レセプタクルヘッダが少なくとも１つの第１の挿入空間を画定し、該少なくとも１つの第１の挿入空間がレセプタクルヘッダの嵌合端に向かって開き、前記少なくとも１つのレセプタクル接触端子がレセプタクルヘッダに保持され、前記少なくとも１つのレセプタクル接触端子が前部及び後部を有し、前記少なくとも１つのレセプタクル接触端子の前部が少なくとも１つの第１の挿入空間内に位置付けられ、前記レセプタクルヘッダの嵌合端が前記少なくとも１つのレセプタクル接触端子の前部よりも前に位置し、前記少なくとも１つのレセプタクル接触端子の後部が第１のＰＣＢに固定されて電気的に接続されるように構成される、レセプタクルコネクタと、
プラグヘッダ及び少なくとも１つのプラグ接触端子を有するプラグコネクタであって、前記プラグヘッダが締結部及び係止部を有し、前記締結部が少なくとも１つの第２の挿入空間を画定し、該少なくとも１つの第２の挿入空間が締結部の嵌合端に向かって開き、前記少なくとも１つのプラグ接触端子がプラグヘッダに保持され、前記係止部が垂直方向に弾性的に動作するように構成され、前記少なくとも１つのプラグ接触端子が前部及び後部を有し、前記少なくとも１つのプラグ接触端子の前部が少なくとも１つの第２の挿入空間内に位置付けられ、前記締結部の嵌合端が前記少なくとも１つのプラグ接触端子の前部よりも前に位置し、前記少なくとも１つのプラグ接触端子の後部が第２のＰＣＢに固定されて電気的に接続されるように構成される、プラグコネクタと、を備え、
前記プラグコネクタがレセプタクルコネクタに結合されると、前記プラグコネクタの締結部がレセプタクルコネクタの少なくとも１つの第１の挿入空間内に挿入され、それにより、前記少なくとも１つのレセプタクル接触端子の前部が少なくとも１つの第２の挿入空間内に進入して前記少なくとも１つのプラグ接触端子の前部と電気的に接触し、前記係止部が締結部をレセプタクルヘッダに係止し、
該レセプタクルヘッダの嵌合端は突起部及び陥凹部を有し、前記プラグヘッダの締結部の嵌合端は突起部及び陥凹部を有し、前記締結部が前記少なくとも１つの第１の挿入空間内に挿入されるときに、前記レセプタクルヘッダの突起部が前記締結部の陥凹部に補充され、前記締結部の突起部が前記レセプタクルヘッダの陥凹部に補充される、基板対基板コネクタアセンブリ。
【請求項２】
前記係止部が押圧レバーを含み、該押圧レバーが、垂直方向に弾性的に動作し、後方に延び、締結部の上面から離間し、かつ締結部の上部の嵌合端を始点とする、請求項１に記載の基板対基板コネクタアセンブリ。
【請求項３】
前記係止部が係止突起を更に含み、該係止突起はレセプタクルヘッダ上に形成される係止溝内に取り外し可能に締結され、前記係止突起は前記押圧レバーから前方に突出する、請求項２に記載の基板対基板コネクタアセンブリ。
【請求項４】
前記押圧レバーが、左右に離間した対として形成され、前記押圧レバーが、押圧部によって後端で互いに接続される、請求項２に記載の基板対基板コネクタアセンブリ。
【請求項５】
前記少なくとも１つの第１の挿入空間の内部上面上に、左右へのずれを防ぐために、摺動によって前記押圧レバーが挿入されるレバー挿入溝が形成され、それにより、前記締結部が摺動によって前記少なくとも１つの第１の挿入空間内に確実に挿入され得る、請求項２に記載の基板対基板コネクタアセンブリ。
【請求項６】
前記少なくとも１つのレセプタクル接触端子は、該少なくとも１つのレセプタクル接触端子の前部が少なくとも１つのレセプタクル接触端子の後部よりも低い位置になるような折り曲げ構造を有する、請求項１に記載の基板対基板コネクタアセンブリ。
【請求項７】
前記少なくとも１つのプラグ接触端子は、該少なくとも１つのプラグ接触端子の前部が少なくとも１つのプラグ接触端子の後部よりも低い位置になるような折り曲げ構造を有する、請求項１に記載の基板対基板コネクタアセンブリ。
【請求項８】
レセプタクル嵌合爪を更に備え、該レセプタクル嵌合爪がその上部及び下部を画定する折り曲げ構造を有し、下部が前記レセプタクルヘッダに固定され、上部が前記第１のＰＣＢの上面に半田付けされる、請求項１に記載の基板対基板コネクタアセンブリ。
【請求項９】
プラグ嵌合爪を更に備え、該プラグ嵌合爪がその上部及び下部を画定する折り曲げ構造を有し、下部が前記プラグヘッダに固定され、上部が前記第２のＰＣＢの上面に半田付けされる、請求項１に記載の基板対基板コネクタアセンブリ。
【請求項１０】
前記少なくとも１つのレセプタクル接触端子の後部はレセプタクルヘッダの非嵌合端に位置する、請求項６に記載の基板対基板コネクタアセンブリ。
【請求項１１】
少なくとも１つの折り曲げ部挿入溝が前記レセプタクルヘッダの後部に形成され、前記少なくとも１つのレセプタクル接触端子の一部が前記少なくとも１つの折り曲げ部挿入溝内に挿入される、請求項６に記載の基板対基板コネクタアセンブリ。
【請求項１２】
前記少なくとも１つのプラグ接触端子の後部はプラグヘッダの非嵌合端に位置する、請求項７に記載の基板対基板コネクタアセンブリ。
【請求項１３】
少なくとも１つの折り曲げ部挿入溝が前記プラグヘッダの後部に形成され、前記少なくとも１つのプラグ接触端子の一部が前記少なくとも１つの折り曲げ部挿入溝内に挿入される、請求項７に記載の基板対基板コネクタアセンブリ。
【請求項１４】
前記折り曲げ部挿入溝が、前記係止部の後部上にも形成される、請求項１３に記載の基板対基板コネクタアセンブリ。
【発明の詳細な説明】
【技術分野】
【０００１】
本開示は、韓国特許庁に先に出願された、「基板対基板タイプコネクタアセンブリ」と題する、２０１４年２月２０日出願の韓国特許出願第１０−２０１４−００１９７９３号の優先権を主張する。上述の特許出願の内容は、その全体が本明細書に援用される。
【背景技術】
【０００２】
この本開示は、２つのプリント回路基板（ＰＣＢ）を接続するコネクタアセンブリに一般的に関し、さらに詳細には、ＬＥＤ  ＴＶパネル内で２つのＰＣＢを接続する基板対基板コネクタアセンブリに関する。
【０００３】
ＬＥＤ  ＴＶにおけるように、複数のＰＣＢが配置される場合、ＰＣＢを電気的に接続するようにコネクタが設けられる。互いに接続されるＰＣＢは、その上に装着される電子機器の装着表面が単一の平面を形成するように、配置される。ともに接続される２つのＰＣＢのうち、雌コネクタが一方の上に装着され、雄コネクタが他方の上に装着される。
【０００４】
同様に、基板（ＰＣＢ）を基板（ＰＣＢ）に接続する基板対基板コネクタが、「コネクタ」と題された、韓国特許公開第２０１２−０１２７５１０号において開示される。上述の出願の内容は、その全体が本明細書に援用される。‘５１０出願によるコネクタは、コネクタを含む回路基板の厚み全体を減少させる目的を有するが、実際、コネクタが基板上に装着される基板上タイプであるため、コネクタを含む基板の厚み全体を減少させる能力は限定される。
【発明の概要】
【課題を解決するための手段】
【０００５】
上述の課題を解決するために考案された本開示の目的は、低プロファイルおよび小型化を実現できる基板対基板コネクタアセンブリを提供することである。
【０００６】
第１のＰＣＢ上に装着されるレセプタクルコネクタおよび第２のＰＣＢ上に装着されるプラグコネクタを使用して２つのＰＣＢを接続するように意図される、本開示の基板対基板コネクタアセンブリには、レセプタクルコネクタのヘッダ上で前方に開くプラグ挿入空間と、前部上に形成されるプラグコネクタのヘッダのプラグ挿入空間に取り外し可能に挿入される締結具部が形成され、一方で各ヘッダは、各ＰＣＢを垂直に通り抜けるように装着され、その結果、製品の垂直幅を減少させる。したがって、プラグ挿入空間内に締結部を係止する係止部が、締結部内に設けられ、係止部が垂直方向に弾性的に動作するように構成され、第２のＰＣＢを通り抜けるように動作する。
【０００７】
係止部は、垂直方向に弾性的に動作し、後方に延び、締結部の上面から離間され、締結部の上部の前端を始点とする、押圧レバーおよびレセプタクルヘッダ上に形成される係止溝内に取り外し可能に締結し、押圧レバーから前方に突出する係止突起を備える。押圧レバーが、左右に離間した対として形成され、押圧レバーは押圧部によって後端で互いに接続される。
【０００８】
プラグ挿入空間の内部上面上に、左右へのずれを防ぐために摺動しながらレバーが挿入されるレバー挿入溝が形成され、その結果、によって締結部がプラグ挿入空間内に確実に締結されることができる。レセプタクルヘッドのプラグ挿入空間の入口およびプラグヘッダの締結部の近傍には、それぞれ突起部および陥凹部が設けられ、その結果、組み立て中に締結部がプラグ挿入空間に挿入されるとき、製品の前後の厚み全体を減少させ、２つのヘッダの確実な結合を保証するために、突起部が陥凹部内に挿入される。
【０００９】
基板対基板コネクタアセンブリは、下部接触部がレセプタクルヘッダ内に位置し、上部半田付け部が第１のＰＣＢの上面に半田付けされている、折り曲げ構造を有するレセプタクル接触端子と、下部接触部がプラグヘッダ内に位置しており、上部半田付け部が第２のＰＣＢの上面に半田付けされている、折り曲げ構造を有するプラグ接触端子とをさらに備える。基板対基板コネクタアセンブリは、下部がレセプタクルヘッダに固定され、上部半田付け部が第１のＰＣＢの上面に半田付けされる、折り曲げ構造を有するレセプタクル嵌合爪と、下部がプラグヘッダに固定され、上部半田付け部が第２のＰＣＢの上面に半田付けされる、折り曲げ構造を有するプラグ嵌合爪とをさらに備える。
【００１０】
各接触端子の半田付け部は各ヘッダの背部に位置し、各嵌合爪の半田付け部は、各ヘッダの隣に位置する。製品の前後の厚みを減少させるために、レセプタクルヘッダの後部およびプラグヘッダの後部には、内部に各接触端子部品の上向き折り曲げ部が挿入される、折り曲げ部挿入溝がそれぞれ形成される。プラグヘッダ上に、折り曲げ部挿入溝が、係止部の後部上にも設けられる。レセプタクル接触端子およびプラグ接触端子は、二重接触構造を有する。
【００１１】
本開示による基板対基板コネクタアセンブリは、次の効果を有する。第一に、レセプタクルコネクタおよびプラグコネクタがＰＣＢを通して装着され、プラグコネクタ上に設けられる押圧レバーの動作空間が、ＰＣＢを通り抜けるように形成され、レセプタクル接触端子およびプラグ接触端子が二重接触構造を有するため、低プロファイル構造を実現することができる。第二に、突起部および陥凹部が、レセプタクルコネクタのプラグ挿入空間の入口の近傍およびプラグコネクタの締結部にそれぞれ形成され、これらは、締結部がプラグ挿入空間内に挿入されるとき、突起部および陥凹部が互いに挿入されるように組み立てられるため、組み立てられるとき、２つのコネクタの前後の厚みを減少させ、製品の縮小化を可能にする。第三に、プラグコネクタをレセプタクルコネクタ内に挿入するだけで係止が達成され、プラグコネクタの押圧レバーを押す唯一の行動によって係止が解除され、その結果、２つのコネクタが容易に結合され、結合を外すことができる。第四に、上記の特性のために、２つのＰＣＢがＬＥＤ  ＴＶパネル内に接続されるとき、作業を簡単に行うことができ、省スペース化でき、２つのＰＣＢが容易に結合され、結合を外すことができる。
【００１２】
本開示の構造および動作の機構および方法が、そのさらなる目的および利点とともに、同じ参照符号が同じ要素を識別する添付図面に関連する、下記の詳細な説明の参照によって最も理解されるであろう。
【図面の簡単な説明】
【００１３】
【図１】本開示による、基板対基板コネクタアセンブリによって接続される２つのＰＣＢの斜視図である。
【図２】図１の上面図である。
【図３】接続されている２つのＰＣＢの上面図である。
【図４】図１のコネクタアセンブリの分解斜視図である。
【図５】図１のコネクタアセンブリによって接続される２つのＰＣＢの部分的な斜視図である。
【図６】本開示によるレセプタクルコネクタの正面図である。
【図７】レセプタクルコネクタおよびプラグコネクタを結合する工程における、係止部の作用関係を示す断面図である。
【図８】レセプタクルコネクタおよびプラグコネクタを結合する工程における、係止部の作用関係を示す断面図である。
【図９】レセプタクルコネクタおよびプラグコネクタを結合する工程における、係止部の作用関係を示す断面図である。
【図１０】図９で示される状態における、２つの接触端末間の接触部を示す断面図である。
【図１１】レセプタクルコネクタとプラグコネクタとの間の係止が解除されるときの係止部の動作関係を示す断面図である。
【図１２】レセプタクル端末およびプラグ端末の湾曲部がレセプタクルヘッドの後部およびプラグヘッダの後部内に挿入される状態を示す図である。
【発明を実施するための形態】
【００１４】
本開示は様々な形の実施形態の影響を受けやすいが、本開示が本開示の原則の例示であるとみなされ、本開示を例証されるものに制限する意図はないという理解とともに、特定の実施形態が、図によって示され、明細書において詳細に説明される。
【００１５】
このように、特徴または態様への参照は、本開示の一例の特徴または態様を説明するように意図され、そのすべての実施形態が説明される特徴または態様を有さなければならないということを暗示するものではない。さらに、説明が特徴の数を例証することに留意されるべきである。特定の特徴がともに組み合わされて可能性のあるシステム設計を例証する一方、それらの特徴はまた、明示で開示されない他の組み合わせで使用されることもできる。そのため、示される組み合わせは、記載されない限り、制限することを意図されない。
【００１６】
図に例証される実施形態では、本開示の様々な要素の構造および動きの説明に使用される上、下、左、右、前および後ろなどの方向の表現は絶対的ではなく、相対的である。これらの表現は、要素が図に示される位置にある場合、適切である。しかしながら、要素の位置の説明が変わる場合、これらの表現はそれに従って変更される。
【００１７】
図１〜３は、本開示による基板対基板コネクタアセンブリを例証する。図を参照すると、本開示の基板対基板コネクタアセンブリ１によって接続される第１および第２のＰＣＢ２、３は、細長の棒状に形成され、接続部がそれぞれ切り込まれた形状で形成され、一方で切り込まれた部分は互いに相互接続され、接続部を作る。２つのＰＣＢ２、３の接続部は、幅がさらに狭い幅方向にそれぞれ形成され、その結果、２つのＰＣＢ２、３が、長さがさらに短い幅方向（側方向）に互いに重なり、相互接続される。相互接続部分を有する２つのＰＣＢ２、３の左右の幅（幅方向の幅）が、個々のＰＣＢ２、３の幅に合致する。このＰＣＢ２、３の結合方法で、本開示によるコネクタを適合する製品における、縮小化、即ち、小型化を達成することができる。
【００１８】
本開示の基板対基板コネクタアセンブリ１が、互いに取り外し可能に結合するレセプタクルコネクタ１００およびプラグコネクタ２００として構成される、ＰＣＢ２、３の各接続部に装着される。各コネクタ１００、２００は、２つのＰＣＢ２、３の接続部から横方向を向くように装着される。
【００１９】
さらに、製品の小型化を実現するために、レセプタクルコネクタ１００およびプラグコネクタ２００が互いに結合される場合、結合部が箱型の形状を有さず、互いに相互接続する形状を有する。言い換えると、図２のＡおよびＢ部分におけるように、レセプタクルコネクタ１００の前端部（結合方向に対して）およびプラグコネクタ２００が、互いに相互接続して組み立てられる。つまり、レセプタクルコネクタ１００の前端部上およびプラグコネクタ２００上に、互いに接続される、突起部ａおよび陥凹部ｂが形成され、２つのコネクタ１００、２００がともに締結される場合、突起部ａを陥凹部ｂ内に挿入して組み立てられる。この結合構造によって、２つのコネクタ１００、２００がともに結合されるときの前後の厚みＷ１が、レセプタクルコネクタ１００の前後の厚みＷ２とプラグコネクタの前後の厚みＷ３との合計よりも小さくなり（つまり、Ｗ１＜Ｗ２＋Ｗ３）、本開示によるコネクタを適応する製品の前後の厚みが減少され得る。突起部ａが陥凹部ｂ内に挿入されるように組み立てられるおかげで、２つのコネクタ１００、２００の結合が、ＰＣＢおよび製品が捻られる場合でも、確実に保持されることができ、２つのコネクタ１００、２００上に設けられる端子間の接触状態が、確実に保持されることができる。
【００２０】
図４〜５を参照すると、本開示の基板対基板コネクタアセンブリ１は、摺動によってともに取り外し可能に結合されるレセプタクルコネクタ１００およびプラグコネクタ２００を含む。各ＰＣＢ２、３を通り抜けて設置されるオフセット型としてレセプタクルコネクタ１００およびプラグコネクタ２００を形成することによって、製品の高さが減少され得る。言い換えると、低プロファイルの製品が達成され得る。
【００２１】
レセプタクルコネクタ１００は、レセプタクルヘッダ１１０、レセプタクル嵌合爪１２０、およびレセプタクル接触端子１３０を備える。レセプタクルヘッダ１１０において、下記で説明されるプラグコネクタ２００のプラグヘッダ２１０を構成する締結部２１１がその中に挿入される、プラグ挿入空間１１１が、結合方向に対して前方向に開いて形成される。レセプタクルヘッダ１１０の上部上に、２つの係止穴１１２が左右に形成され、その中に、下記で説明される押圧レバー２４１の係止突起２４２が挿入される。羽根部１１３がレセプタクルヘッダ１１０の後部およびいずれかの側部上に形成され、その結果、設置の間にレセプタクルヘッダ１１０が、後方に滑り落ちないように第１のＰＣＢ２の上面上を捉える。
【００２２】
レセプタクル嵌合爪１２０は、レセプタクルヘッダ１１０を第１のＰＣＢ２に固定するように意図され、折り曲げ構造を有し、その下部がレセプタクルヘッダ１１０のいずれかの側部内に挿入され、一方でその上部の半田付け部がレセプタクルヘッダ１１０のいずれかの側部上に位置し、第１のＰＣＢ２の上面に半田付けされる。レセプタクル接触端子１３０が、レセプタクルヘッダ１１０の後部を介したレセプタクルヘッダ１１０内への挿入によって固定される。このようなレセプタクル接触端子１３０は、折り曲げ構造を有し、その下部接触部が板状に形成され、レセプタクルヘッダ１１０のプラグ挿入空間１１１内に位置し、上部半田付け部がレセプタクルヘッダ１１０の背部に位置し、第１のＰＣＢ２の上部に半田付けされる。
【００２３】
プラグコネクタ２００は、プラグヘッダ２１０、プラグ嵌合爪２２０、プラグ接触端子２３０、および係止部２４０を備える。結合方向に対して、締結部２１１がプラグヘッダ２１０のいずれかの側部上に形成され、レセプタクルヘッダ１１０のプラグ挿入空間１１１内に取り外し可能に挿入されることができ、結合のときに、締結部２１１の近傍が、相互接続可能な方法でプラグヘッダ２１０の前部に接触する。プラグヘッダ２１０の内部に、接触端子挿入穴２１２が左右に離間して形成され、その中に複数のプラグ接触端子２３０が下面を介して挿入される。羽根部２１３がそれぞれレセプタクルヘッダ２１０の上部のいずれかの側部上に形成され、その結果、設置の間にレセプタクルヘッダ２１０が、後方に滑り落ちないように第２のＰＣＢ３の上面上を捉える。
【００２４】
プラグ嵌合爪２２０は、プラグヘッダ２１０を第２のＰＣＢ３に固定するように意図され、折り曲げ構造を有し、その下部がプラグヘッダ２１０のいずれかの端部に挿入および固定され、一方でその上部半田付け部がプラグヘッダ２１０のいずれかの側部上に位置し、第２のＰＣＢ３の上部に半田付けされる。プラグ接触端子２３０が、プラグヘッダ２１０の下面を介してプラグヘッダ２１０の接触端子挿入穴２１２内に挿入および固定される。レセプタクル接触端子２３０は、折り曲げ構造を有し、その下部接触部が板状に形成され、プラグヘッダ２１０の接触端子挿入穴２１２内に位置し、上部半田付け部がプラグヘッダ２１０の背部に位置し、第２のＰＣＢ３の上部に半田付けされる。
【００２５】
係止部２４０がプラグヘッダ２１０の締結部２１１とともに単体として形成され、プラグヘッダ２１０の締結部２１１が、レセプタクルヘッダ１１０のプラグ挿入空間１１１に係止され、または係止が外される。係止部２４０が、上下に弾性的に動作し、後方に延び、締結部２１１の上面から離間され、締結部２１１の上面の前端を始点とする一対の押圧レバー２４１、押圧レバー２４１の上面から上向きに突出してレセプタクルヘッダ１１０の係止穴１１２に嵌合する係止突起２４２、および係止部２４０が解除されるときに押圧されるように設計され、２つの押圧レバー２４１の後端に接続される押圧部２４３を備える。押圧部２４３の上部上に、押圧溝２４４が形成され、その中に器具または指の爪が挿入され、その結果、器具または指の爪を使用して確実に押下されることができる。締結部２１１を含むプラグヘッダ２１０の上部上に、溝状の動作空間２１４が設けられ、その中で押圧レバー２４１が動作されることができる。動作空間２１４が第２のＰＣＢ３を通り抜ける位置に設けられるため、押圧レバー２４１が第２のＰＣＢ３を通り抜けるように動作される。このような押圧レバー２４１の動作構造によって、製品の高さが減少され、低プロファイルを実現する。
【００２６】
レセプタクルヘッダ１１０のプラグ挿入空間１１１内の上面上に、レバー挿入溝１１４が左右に離間して形成され、その中に、締結部２１１がプラグ挿入空間内に挿入されるときに、左右への滑りを防ぐように摺動しながら押圧レバー２４１が挿入される。押圧レバー２４１がレバー挿入溝１１４内に摺動される構造のために、締結部２１１がプラグ挿入空間１１１内に摺動することで確実に挿入されることができる。したがって、一対の押圧レバー２４１および係止突起２４２が締結部２１１上に設けられ、その結果、２つのコネクタがともに締結するときにクリック感が提供されることができ、２つのコネクタの左右への滑りを防ぐことで端子が接触していることを確実に維持することができる。
【００２７】
図７〜１１を参照すると、プラグ接触端子２３０の接触部は、レセプタクル接触端子１３０の接触部に位置し、接触する、第１の接触部２３１と、第１の接触部２３１の上に位置し、第１の接触部２３１の後端から前方に延びる第２の接触部２３２とから成り、弾性があり、その結果、レセプタクル接触端子１３０の接触部が上から押下されるとき、第１の接触端子２３１に強く接触される。レセプタクル接触端子１３０は、上面と下面の両方がプラグ接触端子２３０に接触される二重接触構造を有するおかげで、確実な接触を可能にし、低プロファイルの実現も可能にする。
【００２８】
プラグ挿入空間１１１内へのプラグヘッダ２１０の締結部２１１の挿入の工程で、図８に示されるように、押圧レバー２４１が押圧されて下降させられ、係止突起２４２が係止穴１１２の位置に達するとき、それ自体の弾性によって上昇され、その結果、図９で示されるように、係止穴１１２内へ自動的に押圧されている係止突起２４２によって係止が起こる。図１１に示されるように、レセプタクルコネクタ１００およびプラグコネクタ２００を離すために、押圧レバー２４１の押圧部２４３が押下され、係止突起２４２を係止穴１１２から離し、その結果、２つのコネクタ１００、２００が容易に係止を外されることができる。上述のように、係止を外すとき、押圧レバー２４１が第２のＰＣＢ３を通り抜けるように動作される。
【００２９】
図１２を参照すると、レセプタクルヘッダ１１０の後部上およびプラグヘッダ２１０上に複数の折り曲げ部挿入溝１１５、２１５が形成され、その中に各接触端子１３０、２３０の上向きの湾曲部がそれぞれ挿入され、その結果、製品の前後の厚みを減少させることで小型化が達成される。プラグ接触端子２３０においてプラグヘッダ２１０の中心に位置する、プラグ接触端子２３０の湾曲部が、プラグヘッダ２１０内と係止部２４０の後部の両方に挿入される、つまり、折り曲げ部挿入溝２４５も、係止部２４０を構成する押圧部２４３の後部上に形成される。接触端子１３０、２３０のこの結合構造によって、２つのコネクタ１００、２００によって占められる空間が圧縮されるため、小型化が達成されることができる。
【００３０】
本開示の好ましい実施形態が示され、説明されるが、前述の明細書および付属の特許請求の範囲の精神および範囲から逸脱することなく、当業者が様々な変更を考案することが想定される。
【図１】
0006258514.tif 000002
【図２】
0006258514.tif 000003
【図３】
0006258514.tif 000004
【図４】
0006258514.tif 000005
【図５】
0006258514.tif 000006
【図６】
0006258514.tif 000007
【図７】
0006258514.tif 000008
【図８】
0006258514.tif 000009
【図９】
0006258514.tif 000010
【図１０】
0006258514.tif 000011
【図１１】
0006258514.tif 000012
【図１２】
0006258514.tif 000013